(57)【要約】【課題】複数の収納部を有する収納シートを収納ケースに収納し、必要な分だけ容易に取り出すことができる収納用具を提供する。【解決手段】複数の収納部を有する収納シート１を蛇腹状に折り畳んで、収納ケース２内に収納し、収納ケース２の取出口９０から、収納シート１を引き出すようにして取り出すことによって、直線状に連なった収納シート１を取り出し、必要な分の収納部を取り出したところで、折り返し部２０から切り離すようにした。【選択図】　図６
2004091029.tif 000002
【特許請求の範囲】
【請求項１】
１枚の矩形状のシート材に設けられた複数の収納部の端部を複数の折り返し部で、蛇腹状に折り畳むと共に、
前記折り返し部を切り離し可能とした収納シートと、
該収納シートを内部に収納し、
取出口から前記収納シートを取り出すことが可能な収納ケースと、
から成ることを特徴とする収納用具。
【請求項２】
前記収納シートの前記収納部は、前記収納シートの両側に設けられていることを特徴とする請求項１記載の収納用具。
【請求項３】
前記収納シートの前記収納部は、袋状で一部に開口部を有することを特徴とする請求項１又は請求項２記載の収納用具。
【請求項４】
前記収納シートの前記収納部は、内部に収納物を収納した後、密封されていることを特徴とする請求項１又は請求項２記載の収納用具。
【請求項５】
前記収納ケースは、折り畳むことができることを特徴とする請求項１記載の収納用具。
【発明の詳細な説明】
【０００１】
【発明の属する技術分野】
本発明は、収納部に写真、カード、宝くじ、薬剤、食品等を収納できる収納シートを、必要な分だけ取り出すことができる収納ケースとから成る収納用具に関する。
【０００２】
【従来の技術】
従来、写真やカード等を収納する袋状の収納部から成る収納シートを有するアルバムは、一定の枚数の収納シートが閉じられていた。
また、宝くじは、一定の枚数が夫々個別の収納袋に入れられていた。
【０００３】
さらに、薬剤、食品等も、収納シートには、予め定められた数量の収納部が設けられていた。
尚、本発明については、先行技術調査を行なっていない。
【０００４】
【発明が解決しようとする課題】
しかしながら、このようなアルバムでは、写真やカードの枚数が少ない場合、不用な収納シートが生じることとなる。
また、個別の収納袋は、収納ケースから数えながら取り出すのが面倒であり、予め定められた収納部が設けられているものも、不用な収納物が生じる等の問題があった。
【０００５】
そこで、本発明は、収納部が連なった収納シートを収納ケースから取り出し、必要とする収納部のみで切り離すことで、容易に収納ケースから取り出し、しかも不用な収納部を使用することもない収納用具を提供することにある。
【０００６】
【課題を解決するための手段、及び発明の効果】
以下、前記課題を解決するためになされた本発明の特徴について詳述する。
前記請求項１の発明は、１枚の矩形状のシート材に設けられた複数の収納部の端部を複数の折り返し部で、蛇腹状に折り畳むと共に、
前記折り返し部を切り離し可能とした収納シートと、
該収納シートを内部に収納し、
取出口から前記収納シートを取り出すことが可能な収納ケースと、
から成ることを特徴とする。
【０００７】
請求項１の収納用具によれば、蛇腹状に折り畳まれた収納シートの一端を収納ケースの取出口から引き出すようにして取り出せば、折り返し部で連なった複数の収納部が連続して取り出すことができる。
その際、直線状に連なった収納部の数は容易に数えることができ、必要な分の収納部を取り出したところで、折り返し部を切り離せば、不用な収納部を使用する必要性もない。
【０００８】
次に、請求項２に記載の発明は、前記収納シートの前記収納部は、前記収納シートの両側に設けられていることを特徴とする。
請求項２の収納用具によれば、収納シートに収納物を数多く収納でき、効率的で、収納ケースの大きさも小さく押さえられる。
【０００９】
請求項３に記載の発明は、前記収納シートの前記収納部は、袋状で一部に開口部を有することを特徴とする。
請求項３の収納用具によれば、収納部への収納物の収納、取り出しが容易で、収納物が写真やカード等の場合、再使用が可能である。
【００１０】
請求項４に記載の発明は、前記収納シートの前記収納部は、内部に収納物を収納した後、密封されていることを特徴とする。
請求項４の収納用具によれば、収納物が薬剤、調味料、香辛料等の食品等、１回で使いきるものに有用で、使用する分量等に応じて、容易に収納ケースから取り出すことができる。
【００１１】
請求項５に記載の発明は、前記収納ケースは、折り畳むことができることを特徴とする。
請求項５の収納用具によれば、収納シートを使い終わった後、収納ケースを折り畳めば、保管、運搬等が容易で、組み立てることで再度使用することもできる。
【００１２】
【発明の実施の形態】
次に、本発明の実施形態について一例を挙げて説明する。
収納用具は、図１に示すように、収納シート１と、この収納シート１を内部に収納可能な収納ケース２とで構成されている。
【００１３】
収納シート１には、図２に示す１枚の矩形状のシート材１０に、複数の収納部１２が設けられている。
収納部１２は、図３に示すように、紙製のシート材１０の表面に透明フィルム１５の３辺が貼着され、１辺を開口部１７とした袋状のものであり、図３において貼着された３辺を斜線で表している。
【００１４】
収納部１２の端部には、シート材１０を折り返すことができる折り返し部２０が複数設けられており、この折り返し部２０を折り返すことで、シート材１０は、蛇腹状に折り畳むことができる。
また、折り返し部２０には、全体にわたってミシン目が設けられており、折り返し部２０は、収納シート１０から切り離すことができる。
【００１５】
収納シート１を内部に収納する収納ケース２は、図４に示す１枚の板紙を組み立てて作成する。
収納ケース２を組み立てるには、まず底板３０の両端に、折線を介して備えられた側板３５、３６を立ち上げる。
【００１６】
すると、側板３５、３６の両端に折線を介して備えられた係合板４０、４１、４２、４３も同時に立ち上がるが、その時、Ｕ字状に切り欠かれた係合部５０、５１、５２、５３を、係合部５０と５２、５１と５３とで夫々係合させ、その外側を壁板６０、６１で被うようにする。
【００１７】
一方、側板３５、３６の端部には、貼着辺６５、６６が折線を介して備えられ、折線から折曲げて、側板３５、３６に貼着されている。この、側板３５、３６と貼着辺６５、６６の間には、長円状に切り欠かれた挿入穴７０、７１、７２、７３が設けられている。
【００１８】
立ち上げられた壁板６０、６１の端部には、折線を介して上板８０、８１が備えられ、この上板８０、８１に設けられた挿入片８５、８６、８７、８８を前記挿入穴７０、７１、７２、７３に挿入することによって、図５に示すように、取出口９０を有する収納ケース２が組み立てられる。
【００１９】
このような収納用具を使用するには、まず、蛇腹状に折り畳まれた収納シート１を、図１に示すように、組み立てられる前の収納ケース２に上部から挿入する。
収納シート１に設けられる収納部１２の数は、折り畳まれた収納シート１が収納ケース２に収納可能な大きさであればよく、収納ケース１の大きさによって適宜決めればよい。
【００２０】
収納シート１が収納された収納ケース２は、図５に示すように、組み立てられ、その取出口９０から、図６に示すように、蛇腹状に折り畳まれた収納シート１を引き出すようにして取り出すことができる。
この時、折り返し部２０で連なった収納部１２は、連続して取り出すことができ、必要な分を数えて、折り返し部２０から切り離せば、不用な収納シート１は、収納ケース２に内に収納される。
【００２１】
収納シート１を使い終わった場合には、収納ケース２を、組み立てと逆の順序で折り畳んで保管しておけばよく、再度使用する際には、再び収納ケース２を組み立てて使用する。
収納シート１の収納部１２は、収納される写真、カード、あるいは宝くじ等の形状に合わせて作成すればよく、収納シート１の片側のみ、あるいは両側に設けることができる。
【００２２】
また、収納シート１に収納される物が薬剤、調味料、香辛料等の食品等の場合には、収納後、透明フィルムの全ての辺をシート材１０の表面に貼着して密封するようにすればよい。
尚、本発明は、その要旨を逸脱しない限り種々なる改良は自由であり、収納シート１や収納ケース２の材質も前記実施形態に限定されるものでもない。
【図面の簡単な説明】
【図１】本発明の収納用具の構成を示す説明図である。
【図２】収納シートを伸ばした状態の説明図である。
【図３】収納シートの一部を拡大した状態の説明図である。
【図４】収納ケースを展開した状態の説明図である。
【図５】収納ケースを組み立てた状態の説明図である。
【図６】収納ケースから収納シートを取り出す状態を示す説明図である。
【符号の説明】
１…収納シート、２…収納ケース、１０…シート材、１２…収納部、１７…開口部、２０…折り返し部、９０…取出口
【図１】
2004091029.tif 000003
【図２】
2004091029.tif 000004
【図３】
2004091029.tif 000005
【図４】
2004091029.tif 000006
【図５】
2004091029.tif 000007
【図６】
2004091029.tif 000008